(57)【要約】【課題】製品の小型化を図る。【解決手段】空気調和装置１００では、ファン１３が放熱器１０および蒸発器１２の風上側に配置されているので、空気流れの経路のうちの空気を吸い込んでから放熱器１０および蒸発器１２の手前までの区間を共用し、放熱器１０を通過した空気が通る第１通風路１８を曲げれば、冷気と暖気を吹き分ける構成がシンプルになり、製品の小型化に寄与する。【選択図】図３
2022001796.tif 000002
【特許請求の範囲】
【請求項１】
圧縮機（９）、放熱器（１０）、および蒸発器（１２）の順に冷媒を循環させる空気調和装置であって、
前記放熱器（１０）および前記蒸発器（１２）の風上側に配置され、前記放熱器（１０）および前記蒸発器（１２）を通過する空気の流れを生成するファン（１３）と、
前記圧縮機（９）、前記放熱器（１０）、前記蒸発器（１２）および前記ファン（１３）を収容するケーシング（２０）と、
を備え、
前記放熱器（１０）および前記蒸発器（１２）の一方を通過した空気の通風路（１８）が曲がっている、
空気調和装置（１００）。
【請求項２】
前記放熱器（１０）および前記蒸発器（１２）の他方を通過した空気の通風路（１９）が、その通過方向に延びている、
請求項１に記載の空気調和装置（１００）。
【請求項３】
前記ファン（１３）は、１つのファンで共用されている、
請求項１又は請求項２に記載の空気調和装置（１００）。
【請求項４】
前記ファン（１３）は、クロスフローファンである、
請求項１から請求項３のいずれか一項に記載の空気調和装置（１００）。
【請求項５】
前記ケーシング（２０）は、前記放熱器（１０）に流れる空気および前記蒸発器（１２）に流れる空気を取り込む吸込口（５，６）をさらに有し、
前記吸込口（５，６）は、角部（２５）を形成する前記ケーシング（２０）の２つの側壁（２１，２４）、及び前記角部（２５）の少なくとも１つに形成されている、
請求項１から請求項４のいずれか１項に記載の空気調和装置（１００）。
【請求項６】
前記ファン（１３）の周囲には、
前記ファン（１３）から前記放熱器（１０）および前記蒸発器（１２）に向けて空気を拡散させるディフューザ（１５）と、
前記ファン（１３）の外周から徐々に遠心方向に離れるように湾曲しながら延びて前記ディフューザ（１５）に繋がるスクロール（１６）と、
前記スクロール（１６）とは異なる位置で前記ファン（１３）の外周に最も近接する壁の端部から反り返るように前記ディフューザ（１５）に繋がる舌部（１７）と、
が設けられ、
前記ファン（１３）の回転軸方向から視て、前記放熱器（１０）側の前記スクロール（１６ａ）と、前記蒸発器（１２）側の前記スクロール（１６ｂ）とが、同じ位置、或いは近傍に配置され、
さらに、前記ファン（１３）の回転軸方向から視て、前記放熱器（１０）側の前記舌部（１７ａ）と、前記蒸発器（１２）側の前記舌部（１７ｂ）とが、同じ位置、或いは近傍に配置されている、
請求項１から請求項５のいずれか１項に記載の空気調和装置（１００）。
【請求項７】
前記ファン（１３）の回転軸方向から視て、前記放熱器（１０）側の前記ディフューザ（１５ａ）の最大幅は、前記放熱器（１０）の幅に応じて設定され、
さらに、前記ファン（１３）の回転軸方向から視て、前記蒸発器（１２）側の前記ディフューザ（１５ｂ）の最大幅は、前記蒸発器（１２）の幅に応じて設定されている、
請求項６に記載の空気調和装置（１００）。
【請求項８】
前記通風路（１８，１９）、前記ディフューザ（１５）、前記スクロール（１６）および前記舌部（１７）の少なくとも一部が発泡材で成形されている、
請求項６又は請求項７に記載の空気調和装置（１００）。
【発明の詳細な説明】
【技術分野】
【０００１】
冷媒回路を１つのケーシング内に収納した空気調和装置に関する。
【背景技術】
【０００２】
近年、冷媒回路を１つのケーシング内に収納した空気調和装置が広く普及しており、例えば、特許文献１（特開昭６３−１７６９３８号公報）に記載されている空気調和装置は、凝縮器を通過した暖かい空気（温風）の吹出方向と、蒸発器を通過した冷たい空気（冷風）の吹出方向とが異なるように構成されている。
【発明の概要】
【発明が解決しようとする課題】
【０００３】
しかしながら、上記のような空気調和装置では、温風と冷風の吹出方向を異ならせるための構成が複雑で、製品の小型化が容易ではない。そのため、製品の小型化を図るという課題が存在する。
【課題を解決するための手段】
【０００４】
第１観点の空気調和装置は、圧縮機、放熱器、および蒸発器の順に冷媒を循環させる空気調和装置であって、ファンと、ケーシングとを備えている。ファンは、放熱器および蒸発器の風上側に配置され、放熱器および蒸発器を通過する空気の流れを生成する。ケーシングは、圧縮機、放熱器、蒸発器およびファンを収容している。放熱器および蒸発器の一方を通過した空気の通風路は曲がっている。
【０００５】
この空気調和装置では、放熱器および蒸発器の一方を通過した空気の通風路を曲げるので、冷気と暖気を吹き分ける構成がシンプルになり、製品の小型化に寄与する。
【０００６】
第２観点の空気調和装置は、第１観点の空気調和装置であって、放熱器および蒸発器の他方を通過した空気の通風路が、その通過方向に延びている。
【０００７】
この空気調和装置では、ユーザーは空気調和装置の向きを変更することによって、対象物に冷気および暖気のいずれか一方を供給することができる。
【０００８】
第３観点の空気調和装置は、第１観点又は第２観点の空気調和装置であって、ファンは、１つのファンで共用されている。それゆえ、部品点数の削減に寄与している。
【０００９】
第４観点の空気調和装置は、第１観点から第３観点のいずれか１つの空気調和装置であって、ファンがクロスフローファンである。
【００１０】
この空気調和装置では、クロスフローファンは、圧力分布が均一であり、放熱器および蒸発器の通風抵抗が同じであれば放熱器および蒸発器に対して同一の空気量を押し込むことができる。
【００１１】
第５観点の空気調和装置は、第１観点から第４観点のいずれか１つの空気調和装置であって、ケーシングが、吸込口をさらに有している。吸込口は、放熱器に流れる空気および蒸発器に流れる空気を取り込む。また、吸込口は、角部を形成するケーシングの２つの側壁、及び当該角部の少なくとも１つに形成されている。
【００１２】
この空気調和装置では、放熱器に流れる空気の経路、および蒸発器に流れる空気の経路の一部を共用することができるので、製品の小型化に寄与する。
【００１３】
第６観点の空気調和装置は、第１観点から第５観点のいずれか１つの空気調和装置であって、ファンの周囲には、ディフューザと、スクロールと、舌部とが設けられている。ディフューザは、ファンから放熱器および蒸発器に向けて空気を拡散させる。スクロールは、ファンの外周から徐々に遠心方向に離れるように湾曲しながら延びてディフューザに繋がっている。舌部は、スクロールとは異なる位置でファンの外周に最も近接する壁の端部から反り返るようにディフューザに繋がっている。ファンの回転軸方向から視て、放熱器側のスクロールと、蒸発器側のスクロールとが、同じ位置、或いは近傍に配置されている。さらに、ファンの回転軸方向から視て、放熱器側の舌部と、蒸発器側の舌部とが、同じ位置、或いは近傍に配置されている。それゆえ、この空気調和装置では、送風効率が向上する。
【００１４】
第７観点の空気調和装置は、第６観点の空気調和装置であって、ファンの回転軸方向から視て、放熱器側のディフューザの最大幅は、放熱器の幅に応じて設定されている。さらに、ファンの回転軸方向から視て、蒸発器側のディフューザの最大幅は、蒸発器の幅に応じて設定されている。
【００１５】
この空気調和装置では、放熱器と蒸発器の幅寸法が異なっていても、ディフューザで対応することができる。
【００１６】
第８観点の空気調和装置は、第６観点又は第７観点の空気調和装置であって、通風路、ディフューザ、スクロールおよび舌部の少なくとも一部が発泡材で成形されている。それゆえ、軽量化に寄与する。
【図面の簡単な説明】
【００１７】
【図１】本開示の一実施形態の空気調和装置の冷媒回路図。
【図２】空気調和装置の斜視図。
【図３】ケーシングの第２側面および第３側面が手前側になるように配置したときの空気調和装置の斜視図。
【図４】第２側面が手前側になるように配置して真上から視たときの空気調和装置の平面図。
【図５】放熱器、蒸発器およびファンの位置関係を示す斜視図。
【図６】図５の放熱器、蒸発器およびファンを別の角度から視たときの斜視図。
【図７】図３に示す仮想平面Ｆ１において切断された空気調和装置の部分断面図。
【図８】図３に示す仮想平面Ｆ２において切断された空気調和装置の部分断面図。
【発明を実施するための形態】
【００１８】
（１）空気調和装置１００の構成
図１は、本開示の一実施形態の空気調和装置１００の冷媒回路図である。図１において、空気調和装置１００は、圧縮機９、放熱器１０、膨張弁１１及び蒸発器１２の順に冷媒が循環する冷媒回路を有している。
【００１９】
放熱器１０及び蒸発器１２は、ともにフィンアンドチューブ式の熱交換器である。ケーシング２０は、圧縮機９、放熱器１０、膨張弁１１、蒸発器１２を収容している。さらにケーシング２０は、ファン１３と、圧縮機９及びファン１３を制御する電装品５０（図３，４参照）をも収容している。
【００２０】
なお、本実施形態では、ファン１３は、クロスフローファンであり、放熱器１０および蒸発器１２の風上側に配置されており、放熱器１０および蒸発器１２を通過する空気の流れを生成する。
【００２１】
（２）空気調和装置１００の各部詳細
図２は、空気調和装置１００の斜視図である。図２において、ケーシング２０は、水平断面が略矩形である直方体形状を成しており、長手方向が鉛直方向となるように配置される。
【００２２】
（２−１）ケーシング２０
図２に示すように、ケーシング２０は、第１側壁２１、第２側壁２２、第３側壁２３および第４側壁２４を有している。また、底板２９（図３参照）と天板３０とをさらに有している。ケーシング２０は、第１側壁２１、第２側壁２２、第３側壁２３および第４側壁２４によって形成された筒の両端の開口を底板２９と天板３０とによって閉じた態様である。
【００２３】
また、図２において、上記４つの側壁によって形成される４つのコーナーは、第１側壁２１と第４側壁２４との間に形成されるものを第１コーナー２５とし、そこから右回りに順に第２コーナー２６、第３コーナー２７、第４コーナー２８とする。
【００２４】
ケーシング２０には、第１吸込口５、第２吸込口６、第１吹出口７および第２吹出口８が設けられている。第１吸込口５と第１吹出口７とは、第１側壁２１に形成されている。第２吸込口６は、第４側壁２４に形成されている。第２吹出口８は、第２側壁２２に形成されている。
【００２５】
また、第２側壁２２の下方には、貯水タンク７０を着脱するための貯水タンク装着口２２ａが形成されている。貯水タンク７０は、空気調和装置１００内部で発生した結露水を貯める。
【００２６】
天板３０には、操作パネル３０１と、把手３０３とが設けられている。操作パネル３０１は、空気調和装置１００の運転／停止など、各種の操作を行うためのスイッチを含んでいる。操作パネル３０１は、ユーザーが第２吹出口８と対峙したときに手前側に位置するように設けられている。
【００２７】
図３は、ケーシング２０の第２側壁２２および第３側壁２３が手前側になるように配置したときの空気調和装置１００の斜視図である。また、図４は、第２側壁２２が手前側になるように配置して真上から視たときの空気調和装置１００の平面図である。
【００２８】
図３及び図４において、ケーシング２０は輪郭だけを示す二点鎖線で表示している。図３及び図４に示すように、圧縮機９、及びファン１３がケーシング２０を鉛直に貫く仮想中心軸よりも第４側壁２４側に配置されている。これらは、他の機器に比べて重量が大きいので、重心位置が中心軸より第４側壁２４側へ偏っている。
【００２９】
それゆえ、図２に示すように、把手３０３を掴んで空気調和装置１００を持ち上げたときに傾かないように、把手３０３は天板３０の中心より第４側壁２４側へ偏った位置に設けられている。
【００３０】
また、図２に示すように、把手３０３は、天板３０の他の部分の面よりも窪んだ平面に設けられており、把手３０３を掴んで持ち上げたときに、人の指が入る程度の隙間ができるように構成されている。
【００３１】
（２−２）放熱器１０、蒸発器１２およびファン１３
図５は、放熱器１０、蒸発器１２およびファン１３の位置関係を示す斜視図である。また、図６は、図５の放熱器１０、蒸発器１２およびファン１３を別の角度から視たときの斜視図である。
【００３２】
図５において、放熱器１０および蒸発器１２はフィンアンドチューブ式熱交換器である。蒸発器１２は、放熱器１０の上方に位置し、且つ、蒸発器１２の鉛直上方から視たとき、蒸発器１２と放熱器１０との投影部分が重なるように配置されている。
【００３３】
（２−２−１）放熱器１０
放熱器１０は、鉛直方向に間隔を空けて積み重なるように配列された複数のフィン１０１と、複数のフィン１０１を厚み方向に貫通する複数の伝熱管１０３とを有している。伝熱管１０３は、空気の流れ方向に３列となるように構成されている。
【００３４】
蒸発器１２で生じる結露水はフィン１０１上に導かれるが、フィン１０１の平面領域が上方を向いているので、結露水が流れ落ち難くフィン１０１に長く留まる。
【００３５】
したがって、フィンの平面領域が鉛直方向と平行に配置される場合に比べて、結露水の蒸発量は多くなり、その分、貯水タンク７０に貯まる結露水を少なくすることができる。
【００３６】
（２−２−２）蒸発器１２
蒸発器１２は、水平方向に間隔を空けて積み重なるように配列された複数のフィン１２１と、複数のフィン１２１を厚み方向に貫通する複数の伝熱管１２３とを有している。伝熱管１２３は、空気の流れ方向に２列となるように構成されている。
【００３７】
フィン１２１の平面領域が鉛直方向に延びるので、蒸発器１２に生じた結露水は留まりにくく、容易に落下することができる。
【００３８】
（２−２−３）ファン１３
ファン１３は、ファンロータ１３ａ、ファンロータ１３ｂおよびファンモータ１３ｃを有している。本実施形態では、ファンロータ１３ａとファンロータ１３ｂとは一体に成形された１つのファンロータであるが、説明の便宜上、ファンロータの放熱器１０側部分をファンロータ１３ａ、蒸発器１２側部分をファンロータ１３ｂと区別している。
【００３９】
ファンモータ１３ｃは底板２９上に固定され、ファンモータ１３ｃの回転軸はファンロータ１３ａに連結されている。
【００４０】
ファンロータ１３ａは放熱器１０に対向する位置にあって空気を放熱器１０に向かって押し出す。ファンロータ１３ｂは蒸発器１２に対向する位置にあって空気を蒸発器１２に向かって押し出す。
【００４１】
このように、ファン１３は、放熱器１０および蒸発器１２の風上側に配置されているので、少なくとも放熱器１０および蒸発器１２に流れる空気の吸込口を共有することができるというメリットがある。
【００４２】
（２−３）水受部材６０
放熱器１０と蒸発器１２との間には、水受部材６０が設けられている。図５及び図６に示すように、水受部材６０は、水受面６０ａと、第１側面６０ｂ、第２側面６０ｃおよび第３側面６０ｄ（図６参照）で容器を形成している。
【００４３】
水受面６０ａは、空気流れの風下側にいくほど高さ位置が上位となるように傾斜しており、水受面６０ａに落下した結露水は風上側へ流れる。
【００４４】
第１側面６０ｂおよび第２側面６０ｃは、水受面６０ａに落下した結露水が側方から溢れないように水受面６０ａを空気流れに沿って側方から挟むように起立している。
【００４５】
第３側面６０ｄは、水受面６０ａの傾斜に沿って風上側に流れてくる結露水を第１側面６０ｂ及び第２側面６０ｃとともに集合させるため、水受面６０ａの風上側で結露水を堰き止めるように起立している。
【００４６】
（２−３−１）導水部６１
水受部材６０は、導水部６１をさらに有している。図６に示すように、導水部６１は、水受面６０ａの高さ位置が最も低い部分から下方に延びる水路である。導水部６１の先端は放熱器１０の風上側に位置し、その先端は放熱器１０の上から複数枚目のフィン１０１の高さ位置まで延びている。
【００４７】
導水部６１の断面形状は凹形状であり、その凹形状は底を風上側に向け、放熱器１０のフィン１０１に向かって開いている。それゆえ、水受面６０ａの最下点に集合した結露水は、導水部６１によって放熱器１０のフィン１０１に導かれる。
【００４８】
（２−３−２）拡張部６２
水受部材６０は、拡張部６２をさらに有している。図５に示すように、拡張部６２は、水受面６０ａの風下側端部からさらに風下側に向かってほぼ水平に延びる部位である。
【００４９】
さらに、拡張部６２は、放熱器１０を通過した空気が通る第１通風路１８と蒸発器１２を通過した空気が通る第２通風路１９とを上下に分ける仕切部材としての機能も果たしている。
【００５０】
（２−４）貯水タンク７０
貯水タンク７０は、放熱器１０の下方に配置されており、放熱器１０で蒸発しきれずに落下してくる結露水を受け止めて貯える。そのため、貯水タンク７０の上蓋７１には中央に向かって高さ位置が低くなる凹状面７１ａが形成されており、凹状面７１ａの中央部は貫通孔７１ｂが設けられている。
【００５１】
上蓋７１の凹状面７１ａに落下した結露水は中央に集合し、貫通孔７１ｂから貯水タンク７０内に進入する。
【００５２】
（３）放熱器１０を通過する空気の経路
図７は、図３に示す仮想平面Ｆ１において切断された空気調和装置１００の部分断面図である。図７において、ファン１３のファンロータ１３ａは、第１側壁２１と第４側壁２４とで形成された第１コーナー２５に近い空間に、回転軸を鉛直方向に向けて配置されている。ファンロータ１３ａが回転すると、ケーシング２０の外側の空気が第１吸込口５と第２吸込口６から吸い込まれる。
【００５３】
（３−１）第１ディフューザ１５ａ
第１ディフューザ１５ａは、ファンロータ１３ａによって導入された空気を、その空気の流れの下流側に配置された放熱器１０に向けて拡散させる。ファンロータ１３ａの回転軸方向から視て、第１ディフューザ１５ａの最大幅は、放熱器１０の幅に対応するように設定されている。第１ディフューザ１５ａは、軽量化のため発泡材で成形されている。
【００５４】
（３−２）第１スクロール１６ａ
第１スクロール１６ａは、第１ディフューザ１５ａよりも風上に位置しており、ファンロータ１３ａの外周から徐々に遠心方向に離れるように湾曲しながら延びて第１ディフューザ１５ａに繋がっている。第１スクロール１６ａは、軽量化のため発泡材で成形されている。
【００５５】
（３−３）第１舌部１７ａ
第１舌部１７ａは、第１ディフューザ１５ａよりも風上に位置しており、第１スクロール１６ａとは異なる位置で、ファンロータ１３ａの外周に最も近接する壁の端部から反り返るように第１ディフューザ１５ａに繋がっている。第１舌部１７ａは、軽量化のため発泡材で成形されている。
【００５６】
（３−４）第１通風路１８
第１通風路１８は、放熱器１０の風下側に位置している。第１通風路１８は、第２側壁２２に向かって延びたのち徐々に方向を第１側壁２１に向け、最終的に９０°方向転換して、第１側壁２１の第１吹出口７と繋がる。第１通風路１８は、軽量化のため発泡材で成形されている。
【００５７】
（４）蒸発器１２を通過する空気の経路
図８は、図３に示す仮想平面Ｆ２において切断された空気調和装置１００の部分断面図である。図８において、ファン１３のファンロータ１３ｂは、第１側壁２１と第４側壁２４とで形成された第１コーナー２５に近い空間に、回転軸を鉛直方向に向けて配置されている。ファンロータ１３ｂが回転すると、ケーシング２０の外側の空気が第１吸込口５と第２吸込口６から吸い込まれる。
【００５８】
（４−１）第２ディフューザ１５ｂ
第２ディフューザ１５ｂは、ファンロータ１３ｂによって導入された空気を、その空気の流れの下流側に配置された蒸発器１２に向けて拡散させる。ファンロータ１３ｂの回転軸方向から視て、第２ディフューザ１５ｂの最大幅は、蒸発器１２の幅に対応するように設定されている。第２ディフューザ１５ｂは、軽量化のため発泡材で成形されている。
【００５９】
（４−２）第２スクロール１６ｂ
第２スクロール１６ｂは、第２ディフューザ１５ｂよりも風上に位置しており、ファンロータ１３ｂの外周から徐々に遠心方向に離れるように湾曲しながら延びて第２ディフューザ１５ｂに繋がっている。第２スクロール１６ｂは、軽量化のため発泡材で成形されている。
【００６０】
本実施形態では、第１スクロール１６ａと第２スクロール１６ｂとは一体に成形されており、ファン１３の回転軸方向から視て、第１スクロール１６ａと第２スクロール１６ｂとは同じ位置にあり、この構成によって送風効率が向上する。
【００６１】
但し、第１スクロール１６ａと第２スクロール１６ｂとが別個に成形されたものであっても、ファン１３の回転軸方向から視て、第１スクロール１６ａと第２スクロール１６ｂとのずれが中心角にして５°以内であれば、同様の送風効率が得られる。
【００６２】
（４−３）第２舌部１７ｂ
第２舌部１７ｂは、第２ディフューザ１５ｂよりも風上に位置しており、第２スクロール１６ｂとは異なる位置で、ファンロータ１３ｂの外周に最も近接する壁の端部から反り返るように第２ディフューザ１５ｂに繋がっている。第２舌部１７ｂは、軽量化のため発泡材で成形されている。
【００６３】
本実施形態では、第１舌部１７ａと第２舌部１７ｂとは一体に成形されており、ファン１３の回転軸方向から視て、第１舌部１７ａと第２舌部１７ｂとは同じ位置にあり、この構成によって送風効率が向上する。
【００６４】
但し、第１舌部１７ａと第２舌部１７ｂとが別個に成形されたものであっても、ファン１３の回転軸方向から視て、第１舌部１７ａと第２舌部１７ｂとのずれが中心角にして５°以内であれば、同様の送風効率が得られる。
【００６５】
（４−４）第２通風路１９
第２通風路１９は、蒸発器１２の風下側に位置している。第２通風路１９は、第２側壁２２に向かって延びて第２側壁２２の第２吹出口８と繋がる。第２通風路１９は、軽量化のため発泡材で成形されている。
【００６６】
（５）特徴
（５−１）
空気調和装置１００では、ファン１３が放熱器１０および蒸発器１２の風上側に配置されているので、空気流れの経路のうちの空気を吸い込んでから放熱器１０および蒸発器１２の手前までの区間を共用し、放熱器１０を通過した空気が通る第１通風路１８を曲げれば、冷気と暖気を吹き分ける構成がシンプルになり、製品の小型化に寄与する。
【００６７】
（５−２）
蒸発器１２の通過した空気が通る第２通風路１９が、その通過方向に延びている。これによって、冷気と暖気とが、異なる方向に吹き出されるので、ユーザーは空気調和装置１００の向きを変更することによって、吹出対象物に冷気および暖気のいずれか一方を供給することができる。
【００６８】
（５−３）
ファン１３が、１つのクロスフローファンで共用されている。それゆえ、部品点数の削減に寄与する。また、クロスフローファンは、圧力分布が均一であり、放熱器１０および蒸発器１２の通風抵抗が同じであれば放熱器１０および蒸発器１２に対して同一の空気量を押し込むことができる。
【００６９】
（５−４）
第１吸込口５が第１コーナー２５を形成するケーシング２０の２つの側壁のうちの一方の第１側壁２１に形成され、第２吸込口６が第１コーナー２５を形成するケーシング２０の２つの側壁のうちの他方の第４側壁２４に形成されており、放熱器１０および蒸発器１２に供給する空気を第１吸込口５および第２吸込口６から取り込むことができる。また、空気流れの経路のうちの空気を吸い込んでから放熱器１０および蒸発器１２の手前までの区間を共用することができるので、製品の小型化に寄与する。
【００７０】
（５−５）
ファン１３の回転軸方向から視て、放熱器１０側の第１スクロール１６ａと、蒸発器１２側の第２スクロール１６ｂとが、同じ位置、或いは近傍に配置されている。さらに、ファン１３の回転軸方向から視て、放熱器１０側の第１舌部１７ａと、蒸発器１２側の第２舌部１７ｂとが、同じ位置、或いは近傍に配置されている。それゆえ、送風効率が向上する。
【００７１】
（５−６）
放熱器１０と蒸発器１２の幅寸法が異なっていても、放熱器１０に対しては第１ディフューザ１５ａで、蒸発器１２に対しては第２ディフューザ１５ｂで対応することができる。それゆえ、ファン１３の回転軸方向から視て、放熱器１０側の第１スクロール１６ａと、蒸発器１２側の第２スクロール１６ｂとが、同じ位置、或いは近傍に配置されることを可能とし、さらに、ファン１３の回転軸方向から視て、放熱器１０側の第１舌部１７ａと、蒸発器１２側の第２舌部１７ｂとが、同じ位置、或いは近傍に配置されることを可能としている。
【００７２】
（５−７）
第１ディフューザ１５ａ、第２ディフューザ１５ｂ、第１スクロール１６ａ、第２スクロール１６ｂ、第１舌部１７ａ、第２舌部１７ｂ、第１通風路１８および第２通風路１９の少なくとも一部が発泡材で成形されている。それゆえ、軽量化に寄与している。
【００７３】
（６）変形例
上記実施形態では、第１吸込口５が第１側壁２１に設けられ、第２吸込口６が第４側壁２４に設けられており、第１コーナー２５が第１吸込口５と第２吸込口６とで挟まれた態様である。
【００７４】
しかし、吸込口は必ずしも２つである必要はなく、例えば、第１吸込口５および第２吸込口６のいずれか１つでもよい。
【００７５】
あるいは、第１コーナー２５のうち第１吸込口５と第２吸込口６とで挟まれた部分をも除去して１つの吸込口としてもよい。
【００７６】
かかる場合、ケーシング２０に対する吸込口の加工工数の削減となり、低コスト化に寄与する。
【００７７】
以上、本開示の実施形態を説明したが、特許請求の範囲に記載された本開示の趣旨及び範囲から逸脱することなく、形態や詳細の多様な変更が可能なことが理解されるであろう。
【産業上の利用可能性】
【００７８】
本開示の内容は、局所的な冷房又は暖房を行う空気調和装置、若しくはウィンドウエアコンに有用である。
【符号の説明】
【００７９】
５          第１吸込口
６          第２吸込口
９          圧縮機
１０        放熱器
１２        蒸発器
１３        ファン
１５        ディフューザ
１５ａ      第１ディフューザ
１５ｂ      第２ディフューザ
１６        スクロール
１６ａ      第１スクロール
１６ｂ      第２スクロール
１７        舌部
１７ａ      第１舌部
１７ｂ      第２舌部
１８        第１通風路
１９        第２通風路
２０        ケーシング
２１        第１側壁
２４        第４側壁
２５        第１コーナー（角部）
【先行技術文献】
【特許文献】
【００８０】
【特許文献１】特開昭６３−１７６９３８号公報
【図１】
2022001796.tif 000003
【図２】
2022001796.tif 000004
【図３】
2022001796.tif 000005
【図４】
2022001796.tif 000006
【図５】
2022001796.tif 000007
【図６】
2022001796.tif 000008
【図７】
2022001796.tif 000009
【図８】
2022001796.tif 000010